(57)【特許請求の範囲】
【請求項１】
一方のコネクタが他方のコネクタのフード部の内側に嵌合されるコネクタであり、
前記一方のコネクタのハウジングは、上下方向の寸法よりも左右方向の寸法が大きい断面を有し、前記ハウジングの外側面には、
前記他方のコネクタとの正嵌合時に前記フード部の内側面に設けられた溝部に入り、誤嵌合時に前記フード部に突き当たる誤嵌合防止リブと、
前記正嵌合時および前記誤嵌合時のいずれにおいても前記フード部の内側面に設けられた一対の嵌合溝に嵌合される一対の嵌合リブと、が突設され、
前記一対の嵌合リブが、前記ハウジングの左右方向における両端部に設けられ、前記誤嵌合防止リブが、前記左右方向において前記一対の嵌合リブの間に設けられており、
前記誤嵌合時には、前記誤嵌合防止リブが前記フード部に突き当たる前に前記一対の嵌合リブが前記一対の嵌合溝に嵌合するものとされているコネクタ。
【請求項２】
前記誤嵌合防止リブおよび前記嵌合リブが、前記ハウジングの上面または下面に設けられ、前記ハウジングの左面または右面には、前記正嵌合時および前記誤嵌合時のいずれにおいても前記フード部の内側面に突設されたガイドリブが嵌合可能なガイド溝が設けられ、
前記誤嵌合時には、前記誤嵌合防止リブが前記フード部に突き当たる前に前記ガイドリブが前記ガイド溝に嵌合するものとされている請求項１に記載のコネクタ。
【請求項３】
前記ガイドリブが、前記一方のコネクタと前記他方のコネクタとの嵌合方向に長く延びて設けられている請求項２に記載のコネクタ。
【請求項４】
前記ハウジングの上面または下面に、前記他方のコネクタとの嵌合または離脱を行うときに操作されるレバーが備えられ、
前記ガイド溝が、前記レバーに近い位置に設けられている請求項３に記載のコネクタ。
【請求項５】
前記嵌合リブの前記嵌合方向における前端が、前記誤嵌合防止リブの前記嵌合方向における前端よりも前方に位置している請求項１ないし請求項４のいずれか一項に記載のコネクタ。
【発明の詳細な説明】
【技術分野】
【０００１】
本発明は、コネクタに関する。
【背景技術】
【０００２】
従来、一方のコネクタが他方のコネクタのフード部の内側に嵌合するコネクタが知られている。この種のコネクタにおいては、一方のコネクタと他方のコネクタとが誤った組み合わせや誤った向きで嵌合されることを防ぐべく、一方のコネクタの外側面に誤嵌合防止リブを突設したものが知られている。
【０００３】
例えば下記特許文献１に記載のコネクタにおいては、一方のコネクタの前端部に誤嵌合防止リブが突設され、一方のコネクタと他方のコネクタとを正規な向きで嵌合しようとする場合、誤嵌合防止リブがフード部に設けられた溝部に挿入されて嵌合が可能となるが、一方のコネクタと他方のコネクタとを不正な向きで嵌合しようとする場合には、誤嵌合防止リブがフード部の前端に突き当たって嵌合が阻まれる構造となっている。
【先行技術文献】
【特許文献】
【０００４】
【特許文献１】特開２００２−３２９５５５号公報
【発明の概要】
【発明が解決しようとする課題】
【０００５】
しかしながら、上記のような構成では、一方のコネクタの誤嵌合防止リブがフード部に突き当たったときに、一方のコネクタが斜めに傾いて、その一部がフード部に突入してしまう虞がある。
【０００６】
本発明は上記のような事情に基づいて完成されたものであって、誤嵌合防止リブがフード部に突き当たったときに一方のコネクタが斜めに傾いてフード部の内側に入り込むことを防ぐことが可能なコネクタを提供することを目的とする。
【課題を解決するための手段】
【０００７】
本発明のコネクタは、一方のコネクタが他方のコネクタのフード部の内側に嵌合されるコネクタであり、前記一方のコネクタのハウジングは、上下方向の寸法よりも左右方向の寸法が大きい断面を有し、前記ハウジングの外側面には、前記他方のコネクタとの正嵌合時に前記フード部の内側面に設けられた溝部に入り、誤嵌合時に前記フード部に突き当たる誤嵌合防止リブと、前記正嵌合時および前記誤嵌合時のいずれにおいても前記フード部の内側面に設けられた一対の嵌合溝に嵌合される一対の嵌合リブと、が突設され、前記一対の嵌合リブが、前記ハウジングの左右方向における両端部に設けられ、前記誤嵌合防止リブが、前記左右方向において前記一対の嵌合リブの間に設けられており、前記誤嵌合時には、前記誤嵌合防止リブが前記フード部に突き当たる前に前記一対の嵌合リブが前記一対の嵌合溝に嵌合するものとされている。
【発明の効果】
【０００８】
本発明によれば、一方のコネクタと他方のコネクタとが誤って嵌合されようとした場合には、一対の嵌合リブが一対の嵌合溝に嵌合して一方のコネクタの姿勢が正された後に誤嵌合防止リブがフード部に突き当たるから、誤嵌合防止リブがフード部に突き当たったときに一方のコネクタが斜めに傾いてフード部の内側に入り込むことを防ぐことができる。
【図面の簡単な説明】
【０００９】
【図１】本実施例における第１コネクタを示す正面図
【図２】電線カバーが取り付けられていない状態の第１コネクタを示す背面図
【図３】第２コネクタを示す正面図
【図４】第１コネクタに電線カバーを取り付ける様子を示す一部切欠き平断面図
【図５】第１コネクタに電線カバーが取り付けられた状態を示す一部切欠き平断面図
【図６】電線カバーが取り付けられていない第１コネクタを第２コネクタに嵌合する前の状態を示す一部切欠き側断面図
【図７】電線カバーが取り付けられていない第１コネクタを第２コネクタに嵌合する前の状態を示す平断面図
【図８】ガイドリブがガイド溝に挿入された状態におけるコネクタを示す一部切欠き側断面図
【図９】ガイドリブがガイド溝に挿入された状態におけるコネクタを示す平断面図
【図１０】正嵌合時のコネクタを示す一部切欠き正断面図
【図１１】電線カバーが取り付けられた第１コネクタと第２コネクタとが正規に嵌合した状態を示す平断面図
【図１２】電線カバーが取り付けられた第１コネクタと第２コネクタとが正規に嵌合した状態を示す側断面図
【発明を実施するための形態】
【００１０】
本発明の好ましい形態を以下に示す。
本発明のコネクタは、前記誤嵌合防止リブおよび前記嵌合リブが、前記ハウジングの上面または下面に設けられ、前記ハウジングの左面または右面には、前記正嵌合時および前記誤嵌合時のいずれにおいても前記フード部の内側面に突設されたガイドリブが嵌合可能なガイド溝が設けられ、前記誤嵌合時には、前記誤嵌合防止リブが前記フード部に突き当たる前に前記ガイドリブが前記ガイド溝に嵌合するものとされているものとしてもよい。
【００１１】
このような構成によれば、一方のコネクタと他方のコネクタとが誤って嵌合されようとした場合には、一対の嵌合リブが一対の嵌合溝に嵌合することに加えてガイドリブがガイド溝に嵌合した後に誤嵌合防止リブがフード部に突き当たるから、一方のコネクタが斜めに傾いてフード部の内側に入り込むことをより確実に防ぐことができる。
【００１２】
また、本発明のコネクタは、前記ガイドリブが、前記一方のコネクタと前記他方のコネクタとの嵌合方向に長く延びて設けられているものとしてもよい。
このような構成によれば、一方のコネクタの姿勢が他方のコネクタとの嵌合途中で傾くことを防ぐことができるから、コネクタを正しい姿勢で接続することができる。
【００１３】
また、本発明のコネクタは、前記ハウジングの上面または下面に、前記他方のコネクタとの嵌合または離脱を行うときに操作されるレバーが備えられ、前記ガイド溝が、前記レバーに近い位置に設けられているものとしてもよい。
このような構成によれば、レバーに近い位置、すなわちレバーの操作によって前傾しがちな位置において、ガイドリブとガイド溝とが上下方向に当接するから、コネクタを嵌合する際にコネクタの姿勢が傾くことを効果的に防ぐことができる。
【００１４】
また、本発明のコネクタは、前記嵌合リブの前記嵌合方向における前端が、前記誤嵌合防止リブの前記嵌合方向における前端よりも前方に位置しているものとしてもよい。
このような構成によれば、フード部の先端面が平らであっても誤嵌合防止リブがフード部に突き当たる前に一対の嵌合リブが一対の嵌合溝に嵌合するから、フード部の先端面を、凹凸形状のない平坦な面とすることができる。
【００１５】
＜実施例＞
以下、本発明を具体化した一実施例について、図１〜図１２を参照しつつ詳細に説明する。
本実施例におけるコネクタは、一方のコネクタ（以後、第１コネクタ１０と称する）が他方のコネクタ（以後、第２コネクタ４０と称する）のフード部４４Ａの内側に嵌合されるものであり、第１コネクタ１０には、第２コネクタ４０との嵌合または離脱を行うときに回動操作されるレバー５０が備えられている。以下、各構成部材において、互いの嵌合面側をそれぞれ前方とし、また、図６における上側を上方、下側を下方として説明する。
【００１６】
第２コネクタ４０は、基板に固定される基板用コネクタであり、合成樹脂製のハウジング（以後、第２ハウジング４１と称する）と、Ｌ字形に屈曲された複数の雄側の端子金具（以後、第２端子金具４２と称する）とを備えている。
第２ハウジング４１は、図３に示すように、左右方向に長い形状をなし、第１コネクタ１０が個別に嵌合されるコネクタ嵌合部４４が、左右方向に複数（本実施例では３つ）並べて設けられている。
【００１７】
各コネクタ嵌合部４４は前方に開口したフード部４４Ａを備え、このフード部４４Ａの内側に第１コネクタ１０が嵌合される。各コネクタ嵌合部４４には、第２端子金具４２が、その先端部をフード部４４Ａの内側に突出させた状態で取り付けられている。また、各コネクタ嵌合部４４には、第１コネクタ１０を嵌合する過程で、第１コネクタ１０に保持された雌側の端子金具（以後、第１端子金具１１と称する）と図示しないショート端子との短絡状態を解除する短絡解除部４３が、フード部４４Ａの内側に突出して設けられている。
【００１８】
各コネクタ嵌合部４４のフード部４４Ａの上壁には、円柱状をなすカムピン４５が下方に向かって（フード部４４Ａの内部空間に向かって）突出して形成されている。カムピン４５は、フード部４４Ａの前後方向における中央よりも前端寄りの位置に設けられている（図６参照）。
【００１９】
また、各コネクタ嵌合部４４のフード部４４Ａの上壁には、レバー５０の初期ロックを解除するためのロック解除部４６が下方に向かって突出して形成されている。ロック解除部４６は、図６に示すように、フード部４４Ａの前端から後端に至るまで前後方向に直線状に延びて設けられている。
【００２０】
そして、各コネクタ嵌合部４４の下壁には、第１コネクタ１０の下面に突設された誤嵌合防止リブ２２が入り込むことが可能な溝部４７と、第１コネクタ１０の下面に突設された嵌合リブ２１が嵌合可能な嵌合溝４８とが設けられている（図３参照）。溝部４７および嵌合溝４８については、後ほど詳しく説明する。
また、フード部４４Ａの内周面には、ガイドリブ４９が突設されている。ガイドリブ４９についても後ほど詳しく説明する。
【００２１】
第１コネクタ１０は、合成樹脂製のハウジング（以後、第１ハウジング１２と称する）と、複数の第１端子金具１１と、隣り合う一対の第１端子金具１１を短絡させる図示しないショート端子とを備えている。
【００２２】
第１コネクタ１０が第２コネクタ４０に嵌合される前においては、ショート端子が対応する一対の第１端子金具１１に接触することでそれらを短絡させ、第１コネクタ１０が第２コネクタ４０に嵌合されると、第２ハウジング４１の短絡解除部４３によりショート端子と第１端子金具１１とが非接触状態になり、第１端子金具１１の短絡状態が解除される。
【００２３】
第１ハウジング１２は、第１端子金具１１が収容される端子収容部１３と、レバー５０が収容されるレバー収容部１４と、を有し、全体として、第２ハウジング４１のフード部４４Ａ内に嵌合可能な略方形のブロック状をなしている。第１ハウジング１２を正面側から見ると、図１に示すように、上下方向の寸法よりも左右方向の寸法が若干大きい長方形状をなしている。
【００２４】
端子収容部１３には、図２に示すように、第１端子金具１１が個別に収容される端子収容室１５が複数設けられている。複数の端子収容室１５は、上下方向に複数段に分けられるとともに、各段に左右方向に並べて配されている。各段には同数の端子収容室１５が、左右方向に略同一ピッチで配されている。
【００２５】
各端子収容室１５には、電線Ｗの端末部に接続された第１端子金具１１が後方から挿入されて収容される。端子収容室１５に正規の位置まで挿入された第１端子金具１１は、端子収容室１５に設けられたランスが係止することにより抜け止めされる。各端子収容室１５に第１端子金具１１が収容された状態では、第１ハウジング１２の後面から電線Ｗが後方に引き出される。
【００２６】
端子収容部１３の前面側には、フロントホルダ１７が取り付けられている（図１参照）。フロントホルダ１７は、端子収容部１３の前面の略全体を覆うことが可能な形状に形成されている。フロントホルダ１７により、各端子収容室１５の前壁が構成されるとともに、後述する肉抜き部２４の前端側が塞がれる。
【００２７】
端子収容部１３には、第１端子金具１１に係止して二次的にその抜け止めをするリテーナ１８が装着されている（図６参照）。リテーナ１８は、端子収容部１３の前後方向の略中央部に設けられたリテーナ装着部１９に装着されている。リテーナ装着部１９は、端子収容部１３の下面側に開口するとともに、最上段の端子収容室１５まで上下方向に連通している。リテーナ装着部１９に装着されたリテーナ１８は、第１端子金具１１に係止する部分が端子収容室１５から下側に退避する仮係止位置と、第１端子金具１１に係止する部分が端子収容室１５に進入する本係止位置との間を上下方向に移動可能とされている。
【００２８】
第１ハウジング１２の下面には、図１および図３に示すように、第２コネクタ４０に設けられた嵌合溝４８に嵌合可能な嵌合リブ２１と、溝部４７に嵌合可能な誤嵌合防止リブ２２とが突設されている。嵌合リブ２１および誤嵌合防止リブ２２については、後ほど詳しく説明する。
第１ハウジング１２の左右両面には、第２コネクタ４０のガイドリブ４９が嵌合可能なガイド溝２３が設けられている。ガイド溝２３についても後ほど詳しく説明する。
【００２９】
第１ハウジング１２のうちガイド溝２３の内側に位置する部分には、肉抜き部２４が設けられている（図２参照）。肉抜き部２４は、後方から見ると、左右方向に偏平な長方形状をなし、第１ハウジング１２の端子収容部１３を前後方向に貫通している。
【００３０】
肉抜き部２４には、補強壁２５が設けられている。補強壁２５は、肉抜き部２４の上面と下面とに連結されて略垂直に立ち、肉抜き部２４を左右方向に分けている。補強壁２５は、図２に示すように、後述する上側スライド部２６Ｕに設けられた案内リブ２９と左右方向にずれた位置に一対が設けられている。一対の補強壁２５は、いずれも端子収容室１５の間を仕切る隔壁に上方向に連なって設けられている。
【００３１】
第１ハウジング１２の後面には、図４および図５に示すように、電線Ｗの引出部分を覆う電線カバー６０が、左右方向（図４の上下方向）にスライドして取り付けられる。第１ハウジング１２の後面には、電線カバー６０の前縁部が係止して左右方向にスライドされるスライド部２６が設けられている。
【００３２】
スライド部２６は、図１２に示すように、第１ハウジング１２の上下両側に設けられ、いずれも後側および左右両側に開放された空間とされている。これにより、電線カバー６０は、左右方向のいずれの向きにおいても第１ハウジング１２に取り付けることが可能とされている。各スライド部２６の左右両端部には、図４および図５に示すように、電線カバー６０のカバー係止片６３が係止可能なカバー係止部２７が設けられている。
【００３３】
上側のスライド部２６（以後、上側スライド部２６Ｕと称する）は、図１２に示すように、ガイド溝２３とほぼ同じ高さ位置に形成され、上下方向の寸法（高さ）はガイド溝２３の同方向の寸法と同等とされている。下側のスライド部２６（以後、下側スライド部２６Ｓと称する）は、第１ハウジング１２の下面に一段下側に突出して設けられている。
【００３４】
上側スライド部２６Ｕの下壁および下側スライド部２６Ｓの上壁は、図２に示すように、第１ハウジング１２の全幅に連続して設けられている。また、上側スライド部２６Ｕの上壁は、第１ハウジング１２の左右両端部を残した全幅にわたり連続して設けられている。そして、下側スライド部２６Ｓの下壁は、第１ハウジング１２の左右方向における略中央部のみに設けられている。この下壁は、第１コネクタ１０に電線カバー６０を取り付けないで使用する場合に、第２コネクタ４０との嵌合作業時に指を当てやすい指当て部２８とされている。
【００３５】
各スライド部２６には、電線カバー６０のスライド動作を案内する案内リブ２９が設けられている。案内リブ２９は、図１２に示すように、各スライド部２６の後端に立設されている。また、案内リブ２９は、図２に示すように、各スライド部２６に複数ずつ設けられている。本実施例では、上側スライド部２６Ｕには案内リブ２９が３つ、下側スライド部２６Ｓには案内リブ２９が２つ設けられている。上側スライド部２６Ｕの案内リブ２９は、第１ハウジング１２の左右方向の略中央に１つと、その両側に一対とが設けられ、肉抜き部２４を介して端子収容部１３の前面側に臨んでいる。下側スライド部２６Ｓの案内リブ２９は、左右に一対が設けられ、一対の案内リブ２９は、指当て部２８と左右方向にずれた位置に配されている。
【００３６】
レバー収容部１４は後方に開口し、後方からレバー５０が組み付けられるようになっている。レバー収容部１４は、第１ハウジング１２の上面の略全体にわたる大きさを有している。
【００３７】
レバー収容部１４には、図１１に示すように、第２コネクタ４０のカムピン４５を受け入れる第１受入路３１と、ロック解除部４６を受け入れる第２受入路３２とが設けられている。第１受入路３１および第２受入路３２はいずれもレバー収容部１４の前端から後方に向かって直線状に延びている。第１受入路３１は第１ハウジング１２の幅方向における略中心部に位置し、第２受入路３２は第１ハウジング１２の幅方向における一端側に位置している。
【００３８】
また、レバー収容部１４には、レバー５０に設けられた初期ロック片５４が係止可能な係止受け部３３が設けられている。係止受け部３３は、レバー収容部１４の後端寄りの位置において第２受入路３２に突出する突起である。
【００３９】
レバー５０は回動式のレバーであって、合成樹脂製で平板状をなすカム板部５１と、レバー５０を回動する際に指を当てて操作する操作部５２とを備えている。レバー５０のカム板部５１は、僅かなクリアランスをもってレバー収容部１４に組み付けられ、操作部５２は、レバー収容部１４から後方に突出した状態になる。
【００４０】
カム板部５１の上面には、図１１に示すように、第２コネクタ４０のカムピン４５が係合するカム溝５３が形成されている。カム溝５３は、カム板部５１の端縁から中心側に延びる凹部であり、レバー５０が初期位置にあるときには、カム溝５３の入口が第１受入路３１の前側（図１１の左側）に位置し、カム溝５３へのカムピン４５の受け入れが可能となる。
【００４１】
また、カム板部５１には、レバー５０が初期位置にあるときに、レバー収容部１４の係止受け部３３に係止してレバー５０を初期位置に保持する初期ロック片５４が設けられている。初期ロック片５４は、カム溝５３の入り口近傍からレバー５０の回動方向（レバー５０が初期位置から嵌合位置に回動する方向）に向かって片持ち状に延出して設けられている。初期ロック片５４の延出方向の先端部が、係止受け部３３に係止するものとされている。
【００４２】
電線カバー６０は、図１２に示すように、前面側が開放された断面Ｕ字形状をなすとともに、左右方向における一端側のみが開放された形態をなし、第１ハウジング１２から引き出された電線Ｗは、電線カバー６０内において屈曲されて開放側（以後、カバー開口部６１と称する）から引き出される。
【００４３】
電線カバー６０の前縁部には、図４および図５に示すように、案内リブ２９が入り込むスライド溝６２が左右方向（スライド方向）に延びて形成されている。スライド溝６２は、電線カバー６０の上下両側に設けられ、左右方向における一方の側（カバー開口部６１側）が開口し、他方の側が閉塞されている。
【００４４】
電線カバー６０の左右方向の一端側には、正規の位置までスライドされた電線カバー６０の位置を保持するべく、第１ハウジング１２のカバー係止部２７に係止するカバー係止片６３が設けられている。カバー係止片６３は、電線カバー６０のカバー開口部６１とは反対側の端部（取付時のスライド方向を前側とした場合の後側の端部）に設けられている。カバー係止片６３は、取付時のスライド方向を前方としてその後方に向かって片持ち状をなして延びている。
【００４５】
さて、第１コネクタ１０には、第２コネクタ４０に正しい組み合わせで嵌合されようとした正嵌合時にフード部４４Ａの内側面に設けられた溝部４７に入り、誤った組み合わせで嵌合されようとした誤嵌合時にフード部４４Ａに突き当たる誤嵌合防止リブ２２が突設されている。
【００４６】
誤嵌合防止リブ２２は、図１に示すように、第１ハウジング１２の端子収容部１３の下面に突設されている。誤嵌合防止リブ２２の位置は、各第１コネクタ１０が嵌合されるべきコネクタ嵌合部４４に設けられた溝部４７の位置にあわせられている。そして、第１コネクタ１０とコネクタ嵌合部４４とが適正な組み合わせで嵌合されるときには、誤嵌合防止リブ２２が溝部４７に嵌合され、第１コネクタ１０とコネクタ嵌合部４４とが誤った組み合わせで嵌合されようとしたときには、誤嵌合防止リブ２２がフード部４４Ａの前端に突き当たって、誤嵌合が防がれるようになっている。
【００４７】
誤嵌合防止リブ２２は、図１に示すように、第１コネクタ１０を正面側から見て右側略半分の領域に設けられている。誤嵌合防止リブ２２は、溝部４７の断面形状に整合する略方形断面を有して下方に突出している。誤嵌合防止リブ２２は、全ての第１コネクタ１０において位置は異なるが形状は同じとされている。
【００４８】
誤嵌合防止リブ２２は、図７に示すように、第１コネクタ１０の端子収容部１３の前側部分に設けられている。誤嵌合防止リブ２２は、端子収容部１３の前端面から後側に入り込んだ位置に配されている。誤嵌合防止リブ２２を下方から見ると、左右方向よりも前後方向の寸法が若干大きい長方形状をなしている。なお、誤嵌合防止リブ２２の後端は、リテーナ装着部１９から前方に離れている。
【００４９】
また、第１コネクタ１０には、第１コネクタ１０と第２コネクタ４０とが正しい組み合わせで嵌合されようとした場合であっても誤った組み合わせで嵌合されようとした場合であってもフード部４４Ａの内側面に設けられた一対の嵌合溝４８に嵌合される一対の嵌合リブ２１が設けられている。
【００５０】
一対の嵌合リブ２１は、図１に示すように、第１ハウジング１２の端子収容部１３の下面に突設されている。一対の嵌合リブ２１は、第２コネクタ４０に嵌合される全ての第１コネクタ１０において同じ位置に、同じ形状をなして設けられている。
【００５１】
一対の嵌合リブ２１は、第１コネクタ１０の左右方向における両端部に設けられ、各嵌合リブ２１は、図１および図３に示すように、それぞれ嵌合溝４８に整合する断面形状をなして下方に突出している。一対の嵌合リブ２１は、第１コネクタ１０において左右対称な形状に形成されている。各嵌合リブ２１は、各嵌合溝４８に対して嵌合可能とされている。なお、嵌合リブ２１の断面形状は、誤嵌合防止リブ２２の断面形状とほぼ同じ形状とされている。
【００５２】
一対の嵌合リブ２１は、図７に示すように、端子収容部１３のうちリテーナ装着部１９よりも前側の部分に設けられている。各嵌合リブ２１の前後方向の寸法は、誤嵌合防止リブ２２の前後方向の寸法よりも長くなっている。各嵌合リブ２１の後端はリテーナ装着部１９の開口縁に至っている。また、各嵌合リブ２１の前端は誤嵌合防止リブ２２の前端よりも前方に位置している（図６参照）。これにより、誤嵌合防止リブ２２がフード部４４Ａに突き当たる前に、一対の嵌合リブ２１が一対の嵌合溝４８に嵌合するものとされている。なお、嵌合リブ２１の前端面および後端面は、第１ハウジング１２の下面に対して略垂直な面（コネクタの嵌合方向に略直交する面）とされている。
【００５３】
そして、第２コネクタ４０には、第１コネクタ１０の下面に突設された誤嵌合防止リブ２２が前方から入り込むことが可能な溝部４７と、第１コネクタ１０の下面に突設された一対の嵌合リブ２１がそれぞれ前方から嵌合可能な嵌合溝４８とが設けられている。
【００５４】
溝部４７は、図３に示すように、フード部４４Ａの下壁に凹設され、コネクタ嵌合部４４毎に左右方向の位置が異なっている。本実施例では、溝部４７は、第２コネクタ４０を正面側から見たときに左端に位置するコネクタ嵌合部４４において最も左側に配され、それよりも右側のコネクタ嵌合部４４においては順に右側にずれて配されている。複数のコネクタ嵌合部４４において溝部４７の形状はほぼ同じとされている。各溝部４７は、略方形断面を有して凹むとともにフード部４４Ａの後端まで連なって形成されている。各溝部４７は、前方および上方に開放されている。
【００５５】
嵌合溝４８は、図３に示すように、全てのコネクタ嵌合部４４において同じ位置に設けられている。嵌合溝４８は、溝部４７の左右両側に一対ずつ設けられ、一対の嵌合溝４８は各コネクタ嵌合部４４の左右方向における両端に寄った位置に配されている。各嵌合溝４８は、正面から見ると溝部４７と略同形状をなしている。各嵌合溝４８は、フード部４４Ａの後端に至っている。
【００５６】
そして、図６に示すように、第１コネクタ１０には、第１コネクタ１０と第２コネクタ４０とが正しい組み合わせで嵌合されようとした場合であっても誤った組み合わせで嵌合されようとした場合であってもフード部４４Ａの内側面に突設されたガイドリブ４９が嵌合可能なガイド溝２３が設けられている。
【００５７】
ガイドリブ４９は、図３に示すように、各フード部４４Ａの左右両面に一対が設けられている。一対のガイドリブ４９はほぼ同じ高さ位置であって、上下方向における中央よりも上端寄りの位置に設けられている。一対のガイドリブ４９は左右に対称な形状をなし、各ガイドリブ４９を前方から見ると、左右方向の寸法（フード部４４Ａからの突出寸法）が、上下方向の寸法よりも若干大きい略四角形状をなしている。各ガイドリブ４９の下面は、フード部４４Ａの内周面から略直角に立つ略水平な面とされ、上面は、内端縁（突出端縁）から外端縁（フード部４４Ａの内周面）に向かって次第に下がるように緩く傾斜した面とされている。
【００５８】
ガイドリブ４９は、図６に示すように、前後方向（第１コネクタ１０と第２コネクタ４０との嵌合方向）に長く延びて設けられている。ガイドリブ４９は、フード部４４Ａの前端よりも少し後側に入った位置であって、カムピン４５よりも前側の位置から後方に直線状に延びている。ガイドリブ４９の後端はフード部４４Ａの奥壁（後端）に至っている。なお、ガイドリブ４９は、前後方向の全体において略水平に延びている。
【００５９】
ガイド溝２３は、図１に示すように、第１ハウジング１２の左右両面に凹み形成されるとともに前方に開放されている。ガイド溝２３には、フード部４４Ａの内周面に突設されたガイドリブ４９が嵌り合うものとされている。ガイド溝２３は、レバー５０に近い位置（端子収容部１３とレバー収容部１４との間の位置）に設けられている。各ガイド溝２３は、フード部４４Ａのガイドリブ４９に整合する形状に形成され、下面が略水平をなすとともに上面が緩く傾斜している。一対のガイド溝２３は、上下方向の位置がほぼ同じであり、第１ハウジング１２の中心線に対して左右に対称な形状をなしている。一対のガイド溝２３は、第１ハウジング１２の上下方向の中心よりも上側に位置している。
【００６０】
各ガイド溝２３は、図６に示すように、第１ハウジング１２の前端から後方に延び、その後端は第１ハウジング１２の後面に近い位置に至っている。なお、第１ハウジング１２のうちガイド溝２３よりも後側の部分は、電線カバー６０に備えられたカバー係止片６３が第１ハウジング１２の左右方向から係止可能なカバー係止部２７とされている。
【００６１】
次に、第１コネクタ１０を第２コネクタ４０に嵌合する作業の一例について説明する。
まず、第１コネクタ１０のレバー５０を初期位置にするとともに電線カバー６０を取り付ける。図４に示すように、電線カバー６０のカバー開口部６１側をスライド方向の先方（図４の下側）に配して、全ての電線Ｗを電線カバー６０内に収容しつつ、第１ハウジング１２の左端または右端から電線カバー６０の前縁部をスライド部２６に差し入れる。すると、電線カバー６０のスライド溝６２に第１ハウジング１２の案内リブ２９が入り込む。電線カバー６０をスライドさせると、電線Ｗが電線カバー６０内において屈曲し、図５に示すように、電線カバー６０のカバー開口部６１が第１ハウジング１２の反対側の端に至る。そして、カバー係止片６３がカバー係止部２７に係止し、反対方向へのスライド移動が制限される。また、案内リブ２９がスライド溝６２の閉塞された端部に到達し、さらなるスライド動作が制限される。そして、案内リブ２９とスライド溝６２とが前後方向に係止していることにより、電線カバー６０の前後方向の離脱が制限される。こうして電線カバー６０の取り付けが完了する。
【００６２】
次いで、第１コネクタ１０をコネクタ嵌合部４４のフード部４４Ａ内に浅く嵌合させる。すると、図８および図９に示すように（電線カバー６０と電線Ｗは図示せず）、ガイドリブ４９の前端部がガイド溝２３の前端部に進入して第１ハウジング１２の前端部がフード部４４Ａに嵌合し、第１ハウジング１２の上下方向の向きが矯正される。そして、一対の嵌合リブ２１が一対の嵌合溝４８に嵌合し、第１ハウジング１２の左右方向の傾きが矯正される。こうして第１コネクタ１０の姿勢が定まる。
【００６３】
その後、第１コネクタ１０と第２コネクタ４０との組み合わせが正しいときには、図１０に示すように、誤嵌合防止リブ２２が溝部４７に入り込んで嵌合が進み、カムピン４５が第１受入路３１からカム溝５３の入口に進入し、また、ロック解除部４６が第２受入路３２から進入して初期ロック片５４と係止受け部３３との係止状態を解除する。これにより、初期位置にあるレバー５０の回動操作が許容された状態になる。
【００６４】
一方、第１コネクタ１０と第２コネクタ４０との組み合わせが誤っているときには、誤嵌合防止リブ２２がフード部４４Ａの前面に突き当たってそれ以上の嵌合が阻まれ、誤嵌合が防止される。
【００６５】
次に、レバー５０を回動する。レバー５０の操作部５２を押圧してレバー５０を嵌合位置側へ回動させると、カムピン４５とカム溝５３との係合によるカム作用によって第１コネクタ１０がコネクタ嵌合部４４に引き寄せられ、フード部４４Ａに対する第１コネクタ１０の嵌合が進む。
【００６６】
この嵌合過程では、第１コネクタ１０の上側が下側よりも相対的に先に進もうとして第１コネクタ１０が前のめりになろうとすると、ガイドリブ４９とガイド溝２３とが上下方向に当接するから傾くことが制限される。したがって、第１コネクタ１０は、フード部４４Ａ内を傾くことなく、すなわち第１端子金具１１が第２端子金具４２と略平行に配される正しい姿勢を保持したまま前進する。
【００６７】
そして、第１コネクタ１０がフード部４４Ａに対して正規の嵌合位置に至ると、各短絡解除部４３により第１端子金具１１間の短絡状態が解除され、また、第１端子金具１１と第２端子金具４２とが電気的に接続された状態になる。こうして、第１コネクタ１０を第２コネクタ４０のコネクタ嵌合部４４に嵌合する作業が完了する。このような嵌合作業を３つの第１コネクタ１０について行うと、全ての第１コネクタ１０を第２コネクタ４０に嵌合する作業が完了する。
【００６８】
次に、上記のように構成された実施例の作用および効果について説明する。
本実施例のコネクタは、第１コネクタ１０が第２コネクタ４０のフード部４４Ａの内側に嵌合されるコネクタであり、第１コネクタ１０の第１ハウジング１２の外側面には、第２コネクタ４０に正しい組み合わせで嵌合されようとした正嵌合時にフード部４４Ａの内側面に設けられた溝部４７に入り、誤った組み合わせで嵌合されようとした誤嵌合時にフード部４４Ａに突き当たる誤嵌合防止リブ２２と、正嵌合時および誤嵌合時のいずれにおいてもフード部４４Ａの内側面に設けられた一対の嵌合溝４８に嵌合される一対の嵌合リブ２１とが突設され、誤嵌合時には、誤嵌合防止リブ２２がフード部４４Ａに突き当たる前に一対の嵌合リブ２１が一対の嵌合溝４８に嵌合するものとされている。
【００６９】
この構成によれば、第１コネクタ１０と第２コネクタ４０とが誤って嵌合されようとした場合には、一対の嵌合リブ２１が一対の嵌合溝４８に嵌合して第１コネクタ１０の姿勢が正された後に誤嵌合防止リブ２２がフード部４４Ａに突き当たるから、誤嵌合防止リブ２２がフード部４４Ａに突き当たったときに第１コネクタ１０が斜めに傾いてフード部４４Ａの内側に入り込むことを防ぐことができる。
【００７０】
また、誤嵌合防止リブ２２および嵌合リブ２１が第１ハウジング１２の下面に設けられ、第１ハウジング１２の左右両面には、正嵌合時および誤嵌合時のいずれにおいてもフード部４４Ａの内側面に突設されたガイドリブ４９が嵌合可能なガイド溝２３が設けられ、誤嵌合時には、誤嵌合防止リブ２２がフード部４４Ａに突き当たる前にガイドリブ４９がガイド溝２３に嵌合するものとされている。
【００７１】
この構成によれば、第１コネクタ１０と第２コネクタ４０とが誤った組み合わせで嵌合されようとした場合には、一対の嵌合リブ２１が一対の嵌合溝４８に嵌合することに加えてガイドリブ４９がガイド溝２３に嵌合した後に、誤嵌合防止リブ２２がフード部４４Ａに突き当たるから、第１コネクタ１０が斜めに傾いてフード部４４Ａの内側に入り込むことをより確実に防ぐことができる。
【００７２】
また、ガイドリブ４９が、前後方向に長く延びて設けられている。この構成によれば、第１コネクタ１０の姿勢が第２コネクタ４０との嵌合途中で傾くことを防ぐことができるから、コネクタを正しい姿勢で嵌合することができる。
【００７３】
また、第１ハウジング１２の上面に、第２コネクタ４０との嵌合または離脱を行うときに操作されるレバー５０が備えられ、ガイド溝２３が、レバー５０に近い位置に設けられている。この構成によれば、レバー５０に近い位置、すなわちレバー５０の操作によって前傾しがちな位置において、ガイドリブ４９とガイド溝２３とが上下方向に当接するから、コネクタを嵌合する際にコネクタの姿勢が傾くことを効果的に防ぐことができる。
【００７４】
また、嵌合リブ２１の前端が、誤嵌合防止リブ２２の前端よりも前方に位置している。この構成によれば、フード部４４Ａの前端面が平らであっても誤嵌合防止リブ２２がフード部４４Ａに突き当たる前に一対の嵌合リブ２１が一対の嵌合溝４８に嵌合するから、フード部４４Ａの前端面を、凹凸形状のない平坦な面とすることができる。
【００７５】
＜他の実施例＞
本発明は上記記述及び図面によって説明した実施例に限定されるものではなく、例えば次のような実施例も本発明の技術的範囲に含まれる。
（１）上記実施例では、誤嵌合防止リブ２２が、第１コネクタ１０とコネクタ嵌合部４４とが誤った組み合わせで嵌合されることを防止するものである場合について説明したが、これに限らず、誤嵌合防止リブは、例えば第１コネクタがコネクタ嵌合部に対して上下逆向きで嵌合されることを防止するものであってもよく、その際には、一対の嵌合溝をフード部の上下両側に設けるようにすればよい。
（２）上記実施例では、第２コネクタ４０に複数の第１コネクタ１０が嵌合される形態のコネクタについて説明したが、これに限らず、本発明は、例えば、第２コネクタと第１コネクタとが一対一で嵌合するものにも適用することができる。
（３）上記実施例では、第２コネクタ４０が基板用コネクタである場合について説明したが、これに限らず、本発明は、第２コネクタが基板用コネクタではない場合にも適用することができる。
（４）上記実施例では、ガイド溝２３が第１ハウジング１２の左右両側面に設けられているが、これに限らず、ガイド溝を第１ハウジングの左右両側面のうちいずれか一方の面のみに設けてもよい。
（５）上記実施例では、誤嵌合防止リブ２２が第１コネクタ１０の下面に設けられるとともに溝部４７が第２コネクタ４０の下壁に設けられているが、これに限らず、誤嵌合防止リブは第１コネクタの上面に設けても良く、溝部は誤嵌合防止リブの位置に対応して第２コネクタの上壁に設けてもよい。
（６）上記実施例では、第１コネクタ１０にレバー５０が備えられている場合について説明したが、これに限らず、本発明は、レバーが備えられていないコネクタにも適用することができる。
（７）上記実施例では、嵌合リブ２１の前端が、誤嵌合防止リブ２２の前端よりも前方に位置しているが、これに限らず、誤嵌合防止リブおよび嵌合リブの前端の位置を同じにしてフード部の前面に凹凸形状を設けてもよく、例えば誤嵌合時に誤嵌合防止リブが当接される部分を他の部分よりも後側に凹ませるようにしてもよい。
（８）上記実施例では、第１コネクタ１０をコネクタ嵌合部４４のフード部４４Ａ内に浅く嵌合させると、ガイドリブ４９の前端部がガイド溝２３の前端部に進入した後に、一対の嵌合リブ２１が一対の嵌合溝４８に嵌合するものとされているが、これに限らず、ガイドリブがガイド溝に進入する前に、一対の嵌合リブが一対の嵌合溝に嵌合するものとしてもよい。
【符号の説明】
【００７６】
１０…第１コネクタ（一方のコネクタ）
１２…第１ハウジング（一方のコネクタのハウジング）
２１…嵌合リブ
２２…誤嵌合防止リブ
２３…ガイド溝
４０…第２コネクタ（他方のコネクタ）
４４Ａ…フード部
４７…溝部
４８…嵌合溝
４９…ガイドリブ
５０…レバー
【図１】
0006315346.tif 000002
【図２】
0006315346.tif 000003
【図３】
0006315346.tif 000004
【図４】
0006315346.tif 000005
【図５】
0006315346.tif 000006
【図６】
0006315346.tif 000007
【図７】
0006315346.tif 000008
【図８】
0006315346.tif 000009
【図９】
0006315346.tif 000010
【図１０】
0006315346.tif 000011
【図１１】
0006315346.tif 000012
【図１２】
0006315346.tif 000013